(57)【要約】【課題】同一の光源基板を用いて異なる電源電圧仕様に適用可能なＬＥＤ光源基板およびそれを備えたＬＥＤ照明装置を提供する。【解決手段】ＬＥＤ照明装置１０は、その内部にＬＥＤ光源基板１を備えている。ＬＥＤ光源基板１には、上り列の入出力端子１１に隣り合う最初の載置部１２ａに、電圧調整用の抵抗素子２が載置されるとともに、１１個のＬＥＤ素子３１〜３５、３０’〜３５’が順次載置される。上り列と下り列の他端側において両者を電気的に接続するために、載置部１２ｆ、１２ｆ’から次の載置部１２ｇ、１２ｇ’に延びる配線パターン１３を短絡するためのジャンパワイヤ６が設けられる。電源手段４は、例えば、図示しないＤＣ／ＤＣコンバータ等を備え、ＬＥＤ光源基板１への印加電圧を適宜変更可能なものである。これにより、ＬＥＤ照明装置１０の明るさ（輝度）を適宜調整（変更）することができる。【選択図】図２
2010086752.tif 000002
【特許請求の範囲】
【請求項１】
ＬＥＤ素子を載置するための複数の載置部が少なくとも２列で所定の間隔を置いて配置
されるとともに、各列の隣り合う前記載置部が前記ＬＥＤ素子を載置することにより配線
パターンを介して電気的に接続され、各列の一端には外部電源に接続するための入出力端
子が設けられていることを特徴とするＬＥＤ照明用のＬＥＤ光源基板。
【請求項２】
前記複数の載置部が偶数列の列ペアに配置されていることを特徴とする請求項１に記載
のＬＥＤ照明用のＬＥＤ光源基板。
【請求項３】
請求項１または２に記載のＬＥＤ光源基板をその内部に備え、
前記列の少なくとも１列の入出力端子には電圧調整用の抵抗素子を載置し、前記各列の
前記一端から所定の載置部までＬＥＤ素子を載置するとともに、前記所定の載置部から次
の載置部に延びる前記配線パターンがジャンパワイヤにより短絡されていることを特徴と
するＬＥＤ照明装置。
【発明の詳細な説明】
【技術分野】
【０００１】
本発明は、ＬＥＤ照明用のＬＥＤ光源基板およびそれを備えたＬＥＤ照明装置に関し、
特に、ＬＥＤ光源基板を変更することなく電源電圧仕様および載置されるＬＥＤの数に応
じてＬＥＤ照明装置の輝度を変更させることができるＬＥＤ照明用のＬＥＤ光源基板およ
びそれを備えたＬＥＤ照明装置に関する。
【背景技術】
【０００２】
近年、発光ダイオード（ＬＥＤ）素子を用いた照明装置が普及してきている。このよう
なＬＥＤ照明装置では、光源基板上に複数のＬＥＤ素子を直列に接続して載置し、これら
のＬＥＤ素子にさらに直列に接続された抵抗素子によりＬＥＤ照明装置に印加される電圧
を調整している。ＬＥＤ照明装置では、光源基板の形状（サイズ）やＬＥＤ素子そのもの
のサイズ等により載置されるＬＥＤ素子の数が決定され、使用される電圧に応じて抵抗素
子の抵抗値も決定されているものである。
【０００３】
また、電圧調整用の抵抗素子を設けることなく、ＬＥＤ素子に定電流制御素子を直列に
接続することにより、ＬＥＤ照明装置を安定的に発光させるＬＥＤ照明装置が提案されて
いる（例えば、特許文献１参照）。また、特許文献１では、複数のＬＥＤ素子が直列に接
続されたＬＥＤ列が複数並列に載置されたものも提案されている（同図２参照）。
【特許文献１】特開２００６−３０３１６５号公報
【発明の開示】
【発明が解決しようとする課題】
【０００４】
しかしながら、特許文献１に開示されたＬＥＤ照明装置では、回路基板（光源基板）上
に載置されるＬＥＤ素子の数がその回路基板の形状等により予め決まっており、また、一
般にＬＥＤ素子には定格電圧が存在するため、同一の回路基板を用いて異なる電圧仕様の
電源に適用させることはできない。これに対し、一つの光源基板の形状および同一のＬＥ
Ｄ素子の特性で異なる電圧仕様の電源を利用することを可能にしたいという要望がある。
【０００５】
本発明は上述の点に鑑みてなされたものであり、その目的は、同一のＬＥＤ光源基板を
用いて載置されるＬＥＤ素子の数を変更することにより異なる電圧仕様の電源に適用させ
ることができるＬＥＤ照明用のＬＥＤ光源基板およびそれを備えたＬＥＤ照明装置を提供
することにある。
【課題を解決するための手段】
【０００６】
上記の課題を解決するために、本発明のＬＥＤ照明用のＬＥＤ光源基板（１）は、ＬＥ
Ｄ素子（３１〜３５、３０’〜３５’）を載置するための複数の載置部（１２ａ〜１２ｈ
、１２ａ’〜１２ｈ’）が少なくとも２列で所定の間隔を置いて配置されるとともに、各
列の隣り合う載置部がＬＥＤ素子を載置することにより配線パターン（１３）を介して電
気的に接続され、各列の一端には外部電源（４）に接続するための入出力端子（１１、１
１’）が設けられていることを特徴とする。
【０００７】
本発明のＬＥＤ照明用のＬＥＤ光源基板によれば、このような構成を有するＬＥＤ光源
基板において、入力端子側から所望の載置部までＬＥＤ素子を載置し、入力端子の反対側
で配線パターンを短絡することにより、同一のＬＥＤ光源基板を用いてＬＥＤ素子の数に
応じて異なる電圧仕様の電源に適用させることができる。
【０００８】
本発明のＬＥＤ照明用のＬＥＤ光源基板では、複数の載置部が偶数列の列ペアに配置さ
れているのが好ましい。このようにＬＥＤ光源基板上に４列、６列等の載置部を設け、列
ペア単位で直列または並列に接続することにより、ＬＥＤ光源基板は、電流仕様の異なる
電源（例えば、定電流装置等）にも対応することができる。
【０００９】
また、本発明のＬＥＤ照明装置（１０）は、上述のＬＥＤ光源基板（１）をその内部に
備え、列の少なくとも１列の入出力端子（１１）には電圧調整用の抵抗素子（２）を載置
し、各列の一端から所定の載置部までＬＥＤ素子を載置するとともに、所定の載置部から
次の載置部に延びる配線パターン（１３）がジャンパワイヤ（６）により短絡されている
ことを特徴とする。これにより、同一のＬＥＤ光源基板を用いて載置されるＬＥＤ素子の
数、すなわち、直列に接続されるＬＥＤ素子の数を変更することにより異なる電圧仕様の
電源に適用させることができる。
【発明の効果】
【００１０】
本発明によれば、ＬＥＤ素子を偶数列に載置可能な複数の載置部が設けられた同一のＬ
ＥＤ光源基板を用いて、異なる電圧仕様の電源に適用させることができるＬＥＤ照明装置
用のＬＥＤ光源基板およびＬＥＤ照明装置を提供することができる。
【発明を実施するための最良の形態】
【００１１】
以下、添付図面を参照して本発明のＬＥＤ照明用のＬＥＤ光源基板およびそれを備えた
ＬＥＤ照明装置の好適な実施形態を詳細に説明する。
【００１２】
まず、本発明のＬＥＤ照明用のＬＥＤ光源基板の構成を説明する。図１は、本発明の一
実施形態に係るＬＥＤ照明用のＬＥＤ光源基板の概念図である。図１に示すように、本実
施形態におけるＬＥＤ光源基板１は、外部電源に接続するための入出力端子１１、１１’
と、ＬＥＤ素子を載置するための載置部１２ａ〜１２ｈ、１２ａ’〜１２ｈ’と、載置部
を電気的に接続するための配線パターン１３とを備える。
【００１３】
ここで、図１に示すように、載置部１２ａ〜１２ｈ、１２ａ’〜１２ｈ’は、上り線と
下り線に分けて２列で所定の間隔を置いて配置される。なお、本実施形態では、説明の都
合上、載置部１２ａ〜１２ｈが設けられている列を上り線（上り列）、載置部１２ａ’〜
１２ｈ’が設けられている列を下り線（下り列）とする。入出力端子１１、１１’は、載
置部１２ａ〜１２ｈ、１２ａ’〜１２ｈ’の各列の一端に設けられており、この入出力端
子１１、１１’から当該列の他端に向けて、配線パターン１３が設けられる。配線パター
ン１３は、後述するように、ＬＥＤ素子を載置することにより各列の隣り合う載置部１２
ａ〜１２ｈ、１２ａ’〜１２ｈ’が電気的に接続されるようになっている。
【００１４】
通常、ＬＥＤ光源基板においては、電源電圧仕様によって直列に接続されるべきＬＥＤ
素子の数が決定されるが、このＬＥＤ光源基板１では、使用される電源電圧に応じてＬＥ
Ｄ素子の載置（配置）個数を決定し、２列で定められた位置にそれらのＬＥＤ素子を載置
して回路を折り返して構成することにより、直列に接続されるＬＥＤ素子の数を調整して
異なる電源電圧仕様に対応可能としている。
【００１５】
なお、図１では、１列に８個の載置部１２ａ〜１２ｈ、１２ａ’〜１２ｈ’が設けられ
ている場合を一例として示したが、本発明では、１列に設けられる載置部の数はこれに限
らず、光源基板の用途やサイズ、利用するＬＥＤ素子の形状（サイズ）等により適宜変更
されてもよい。
【００１６】
次に、本発明のＬＥＤ照明装置の構成を説明する。図２は、本発明の一実施形態に係る
ＬＥＤ照明装置の概念図である。ここでは、説明および図示を容易にするために、ＬＥＤ
照明装置１０の外装ケースを示していない。この点は以下の変形例においても同様である
。図２に示すように、本実施形態におけるＬＥＤ照明装置１０は、その内部に図１に示す
ＬＥＤ光源基板１を備えている。
【００１７】
そして、ＬＥＤ光源基板１には、上り列の入出力端子１１に隣り合う最初の載置部１２
ａに、電圧調整用の抵抗素子２が載置される。この抵抗素子２は、載置されるＬＥＤ素子
の数および外部電源の電圧に基づいてその容量を決定・変更されるものである。本実施形
態では、図示のように、ＬＥＤ光源基板１に１１個のＬＥＤ素子３１〜３５、３０’〜３
５’を一端側から順次載置するものとする。
【００１８】
上り列と下り列の他端側において両者を電気的に接続するために、他端側の最後のＬＥ
Ｄ素子３５、３５’が載置されている載置部１２ｆ、１２ｆ’から次の載置部１２ｇ、１
２ｇ’に延びる配線パターン１３を短絡するためのジャンパワイヤ６が設けられる。なお
、上り列と下り列とを短絡させることができれば、ジャンパワイヤ６に限らず、抵抗値が
実質的に０Ωのワイヤや素子等であってもよい。
【００１９】
外部電源である電源手段４は、例えば、図示しないＤＣ／ＤＣコンバータ等を備え、Ｌ
ＥＤ光源基板１への印加電圧を適宜変更可能なものである。電源手段４からの印加電圧と
しては、例えば、１２Ｖ、２４Ｖ、３６Ｖ、４８Ｖ等の間で変更されればよい。
【００２０】
図３は、図２に示すＬＥＤ照明装置の回路図である。図３に示すように、ジャンパワイ
ヤ６を用いることにより、ＬＥＤ光源基板１上に載置されるＬＥＤ素子３１〜３５、３０
’〜３５’が電源手段４に対して電気的に直列に接続されることになる。
【００２１】
このように、本実施形態のＬＥＤ照明装置１０は、ＬＥＤ光源基板１の入出力端子１１
、１１’側（一端側）から適当な位置の載置部１２ｎ、１２ｎ’（ｎはａ〜ｈのいずれか
の文字）までＬＥＤ素子３１〜３ｘ、３１’〜３ｘ’（ｘは上記ｎに対応する数字）を載
置するとともに、その他端側において上り線と下り線とをジャンパワイヤ６によって短絡
させることにより、ＬＥＤ照明装置１０の明るさ（輝度）を適宜調整（変更）するもので
ある。したがって、本実施形態のＬＥＤ光源基板１を用いることにより、電源手段４の出
力電圧（ＬＥＤ光源基板１への印加電圧）および載置されるＬＥＤ素子の数に応じて同一
のＬＥＤ光源基板で光源としての明るさを変更することができる。これにより、同一のＬ
ＥＤ光源基板を用いて種々のＬＥＤ照明装置を製造することができるので、全体としてＬ
ＥＤ照明装置１０の製造コストを低減することができる。また、ＬＥＤ素子個々の仕様を
変えることなく、またＬＥＤ照明装置１０の外形に影響を与えることなく、異なる電源仕
様に対応可能なＬＥＤ光源基板を提供することができる。
【００２２】
次に、本発明のＬＥＤ照明装置の変形例を説明する。図４は、本発明の一実施形態に係
るＬＥＤ照明装置の変形例である。図４（ａ）または図４（ｂ）に示すように、本発明の
ＬＥＤ照明装置１０’では、ＬＥＤ光源基板１’に上り列と下り列との列ペアを複数（こ
こでは、２ペア）設けてもよい。なお、図１に示すＬＥＤ光源基板１および図２に示すＬ
ＥＤ照明装置１０と同様の構成要素の一部には同一の符号を付し、符号の付与を省略した
構成要素もある。
【００２３】
このような列ペアを複数設けた場合には、ＬＥＤ照明装置１０’は、図４（ａ）に示す
ように、ＬＥＤ光源基板１’の他端側に列ペア毎にジャンパワイヤ６を設け、各列ペアに
対応して電源手段４を設けることにより、列ペアを並列に接続してもよい。あるいは、図
４（ｂ）に示すように、ＬＥＤ照明装置１０”は、ＬＥＤ光源基板１’の他端側に列ペア
毎にジャンパワイヤ６を設けるとともに、その一端側の一方の列ペアの下り列と他方の列
ペアの上り列とを電気的に接続するためのジャンパワイヤ６を設け、一方の列ペアの上り
列側の入出力端子１１と他方の列ペアの下り列側の入出力端子１１’に接続される電源手
段４を設けることにより、列ペアを直列に接続してもよい。
【００２４】
このように、本発明のＬＥＤ照明装置１０’、１０”では、上り列と下り列とから構成
される列ペアを複数設けることにより、電流仕様の異なる電源（例えば、定電流装置等）
にも対応することができる。
【００２５】
なお、図４では、ＬＥＤ光源基板１’に２つの列ペアを設けた場合を示したが、本発明
では、列ペアの数は２つに限定されるものではなく、ＬＥＤ光源基板の形状、サイズ等に
より適宜列ペアの数を調整し、ＬＥＤ照明装置の明るさが決定されればよい。
【００２６】
また、各列ペアの各列（上り列、下り列）に載置されるＬＥＤ素子の数は、図２に示す
場合と同様に、ＬＥＤ照明装置が設置される場所や電源電圧（電流）仕様に応じて適宜変
更されればよい。さらに、各列の他端側にジャンパワイヤ６を載置する方法は、上記のよ
うな列ペア毎に限らず、すべての列を短絡するように１つのジャンパワイヤを設け、入出
力端子１１、１１’において適宜電源手段４との接続を変更させることにより、列ペアそ
のものが直列に接続させるようにしてもよい。
【００２７】
次に、本発明のＬＥＤ照明装置のさらなる変形例を説明する。図５は、本発明の別の実
施形態に係るＬＥＤ照明装置の概念図であり、図６は、図５に示すＬＥＤ照明装置の回路
図である。本例のＬＥＤ照明装置１００は、載置されるＬＥＤ素子の一部をツェナーダイ
オードに変更した点で、図２および図３に示すＬＥＤ照明装置１０と異なる。なお、図１
に示すＬＥＤ光源基板１および図２に示すＬＥＤ照明装置１０と同様の構成要素には同一
の符号を付し、その詳細な説明を省略する。
【００２８】
本例におけるＬＥＤ照明装置１００は、図５に示すように、図１に示すＬＥＤ光源基板
１をその内部に備える。そして、ＬＥＤ光源基板１には、上り列の入出力端子１１に隣り
合う最初の載置部１２ａに、電圧調整用の抵抗素子２が載置される。また、ＬＥＤ光源基
板１に７個のＬＥＤ素子３１、３３、３５、３０’、３１’、３３’、３５’が載置され
、ＬＥＤ素子の間にＬＥＤ素子と逆方向に接続されたツェナーダイオード５１、５２、５
１’、５２’が載置される（図６参照）。さらに、上り列と下り列の他端側において両者
を電気的に接続するために、配線パターン１３を短絡するためのジャンパワイヤ６が設け
られる。
【００２９】
ツェナーダイオードは、ＬＥＤ素子の代わりに用いられ、電圧調整手段として機能する
。このようにＬＥＤ照明装置１００では、ＬＥＤ素子の代わりにツェナーダイオードを載
置することにより、ＬＥＤ照明装置１００の明るさ（すべての載置部にＬＥＤ素子を載置
した場合よりも暗い明るさ）を所望の明るさに調整することができる。また、ツェナーダ
イオードがＬＥＤ素子よりも安価であるため、ＬＥＤ照明装置１００の製造コストを低減
することができる。
【００３０】
以上説明したように、本発明のＬＥＤ照明用のＬＥＤ光源基板１によれば、ＬＥＤ素子
３１〜３５、３０’〜３５’を載置するための複数の載置部１２ａ〜１２ｈ、１２ａ’〜
１２ｈ’が少なくとも２列（好ましくは、２列、４列等の偶数列の列ペア）で等間隔に配
置されるとともに、各列の隣り合う載置部１２ａ〜１２ｈ、１２ａ’〜１２ｈ’がＬＥＤ
素子３１〜３５、３０’〜３５’を載置することにより配線パターン１３を介して電気的
に接続され、各列の一端には外部電源に接続するための入出力端子１１、１１’が設けら
れるように構成している。このような構成を有するＬＥＤ光源基板１において、入出力端
子１１、１１’側から所望の載置部までＬＥＤ素子を載置し、入出力端子１１、１１’の
反対側で配線パターン１３を短絡することにより、同一のＬＥＤ光源基板１を用いてＬＥ
Ｄ素子の数や特性に応じて異なる電圧仕様の電源に適用させることができる。
【００３１】
また、ＬＥＤ照明用のＬＥＤ光源基板１’のように、複数の載置部１２ａ・・・が偶数
列の列ペアに配置されてもよい。この場合、ジャンパワイヤ６をどのように載置するかに
より、電流仕様の異なる電源（例えば、定電流装置等）にも対応することができる。
【００３２】
さらに、本発明のＬＥＤ照明装置１０、１０’、１０”によれば、上記のようなＬＥＤ
光源基板１、１’をその内部に備え、上り列の入出力端子１１には電圧調整用の抵抗素子
２を載置し、各列の一端から所定の載置部１２ａ〜１２ｅ、１２ａ’〜１２ｅ’までＬＥ
Ｄ素子３１〜３５、３０’〜３５’を載置するとともに、所定の載置部１２ｅ、１２ｅ’
から次の載置部１２ｆ、１２ｆ’に延びる配線パターン１３がジャンパワイヤ６により短
絡されるように構成している。このように構成することにより、上述のように、同一のＬ
ＥＤ光源基板を用いて異なる電圧仕様の電源に適用可能なＬＥＤ照明装置を提供すること
ができる。
【００３３】
以上、本発明のＬＥＤ照明用のＬＥＤ光源基板およびそれを備えたＬＥＤ照明装置を添
付図面に基づいて詳細に説明したが、本発明は、これらの構成に限定されるものではなく
、特許請求の範囲、明細書および図面に記載された技術的思想の範囲内において種々の変
形が可能である。なお、直接明細書および図面に記載のない形状・構造・機能を有するも
のであっても、本発明の作用・効果を奏する以上、本発明の技術的思想の範囲内である。
すなわち、ＬＥＤ照明装置を構成する各部（構成要素）は、同様の機能を発揮し得る任意
の構成のものと置換することができる。また、任意の構成物が付加されていてもよい。
【００３４】
例えば、上述の実施形態では、ＬＥＤ光源基板には載置部が各列に８個設けられている
例を示したが、ＬＥＤ光源基板上の載置部の数はこれに限らず、ＬＥＤ照明装置に適用さ
れるＬＥＤ光源基板のサイズや用途により適宜変更されてもよい。
【００３５】
また、上述の実施形態では、ＬＥＤ光源基板において載置部が設けられる列の数が２列
、４列等の偶数列として説明したが、入出力端子１１’を他端側に設けたり、載置するＬ
ＥＤ素子３１・・・の特性を変更させたりすることにより、載置部を奇数列に設けてもよ
い。
【００３６】
また、本発明のＬＥＤ照明装置は、電源電圧仕様に応じて工場出荷時にＬＥＤ素子等を
ＬＥＤ光源基板に予め取り付けておいてもよく、購入したユーザが適宜載置するＬＥＤ素
子等の数を決定して組み立てるような組立キットとなっていてもよく、あるいは、ＬＥＤ
光源基板のみを単独で流通させてもよい。
【図面の簡単な説明】
【００３７】
【図１】本発明の一実施形態に係るＬＥＤ照明用のＬＥＤ光源基板の概念図である。
【図２】本発明の一実施形態に係るＬＥＤ照明装置の概念図である。
【図３】図２に示すＬＥＤ照明装置の回路図である。
【図４】本発明の一実施形態に係るＬＥＤ照明装置の変形例である。
【図５】本発明の別の実施形態に係るＬＥＤ照明装置の概念図である。
【図６】図５に示すＬＥＤ照明装置の回路図である。
【符号の説明】
【００３８】
１、１’、１”    ＬＥＤ光源基板
１１、１１’    入出力端子
１２ａ〜１２ｈ、１２ａ’〜１２ｈ’    載置部
１３    配線パターン
２    抵抗素子
３１〜３５、３０’〜３５’    ＬＥＤ素子
４    電源手段
６    ジャンパワイヤ
１０、１０’、１０”、１００    ＬＥＤ照明装置
５１、５２、５１’、５２’    ツェナーダイオード
【図１】
2010086752.tif 000003
【図２】
2010086752.tif 000004
【図３】
2010086752.tif 000005
【図４】
2010086752.tif 000006
【図５】
2010086752.tif 000007
【図６】
2010086752.tif 000008